【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
映像を表示する表示パネルと、
前記表示パネルを照明する照明装置と、
前記表示パネルおよび前記照明装置を駆動する駆動回路と
を備え、
前記照明装置は、
離間して互いに対向配置された第１透明基板および第２透明基板と、
前記第１透明基板または前記第２透明基板の端面に光を照射する光源と、
前記第１透明基板および前記第２透明基板の間隙に設けられ、かつ電位差に応じて、前記光源からの光に対して散乱性もしくは透明性を示す光変調層と、
前記光変調層を挟み込む第１電極および第２電極と
を有し、
前記第１電極および前記第２電極は、ともに、複数の帯状電極からなり、
前記第１電極の帯状電極と、前記第２電極の帯状電極とは、互いに交差する方向に延在しており、
前記駆動回路は、二次元映像、三次元映像、または二次元映像と三次元映像とを混在させた映像を前記表示パネルに表示させる際に、前記第１電極の帯状電極と、前記第２電極の帯状電極との電位差の面内分布が１フレーム期間内で一定となるように、各帯状電極を駆動するようになっている
表示装置。
【請求項２】
前記駆動回路は、二次元映像の表示領域に対応する第１領域において面発光となるように各帯状電極を駆動し、三次元映像の表示領域に対応する第２領域において線状発光となるように各帯状電極を駆動するようになっている
請求項１に記載の表示装置。
【請求項３】
前記第２電極の複数の帯状電極は、前記面発光の生成に用いられる複数の第１帯状電極と、前記面発光および前記線状発光の生成に用いられる複数の第２帯状電極とからなる
請求項１または請求項２に記載の表示装置。
【請求項４】
前記光変調層は、電圧印加時に散乱状態となり、電圧無印加時に透過状態となるノーマリーブラックの構成となっており、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過する帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過しない帯状電極と、前記複数の第１帯状電極のうち前記第２領域を通過しない帯状電極と、各第２帯状電極とに対して、位相が互いに同期した交流電位を印加するようになっている
請求項３に記載の表示装置。
【請求項５】
前記固定電位は、グラウンド電位であり、
前記交流電位の振幅（ＲＭＳ）は、当該交流電位だけが前記光変調層に印加されたときに、前記光変調層が透明性から散乱性に移行する閾値電位と同じか、それよりも大きな値となっている
請求項４に記載の表示装置。
【請求項６】
前記光変調層は、電圧印加時に透過状態となり、電圧無印加時に散乱状態となるノーマリーホワイトの構成となっており、
前記駆動回路は、二次元映像と三次元映像とを混在させた映像を前記表示パネルに表示させる際に、前記第１電極を構成する複数の帯状電極のうち前記第２領域を通過しない帯状電極と、各第２帯状電極と、前記複数の第１帯状電極うち前記第２領域を通過しない帯状電極とに対して、固定電位を印加し、
前記駆動回路は、二次元映像と三次元映像とを混在させた映像を前記表示パネルに表示させる際に、前記第１電極を構成する複数の帯状電極のうち前記第２領域を通過する帯状電極と、前記複数の第１帯状電極のうち前記第２領域を通過する帯状電極とに対して、位相が互いに同期した交流電位を印加するようになっている
請求項３に記載の表示装置。
【請求項７】
前記固定電位は、グラウンド電位であり、
前記交流電位の振幅（ＲＭＳ）は、当該交流電位だけが前記光変調層に印加されたときに、前記光変調層が散乱性から透明性に移行する閾値電位と同じか、それよりも小さな値となっている
請求項６に記載の表示装置。
【手続補正２】
【補正対象書類名】明細書
【補正対象項目名】００１３
【補正方法】変更
【補正の内容】
【００１３】
＜１．第１の実施の形態＞
[テレビ放送信号の受送信システムの構成]
図１は、本技術による第１の実施の形態に係る受信側装置２００を含むテレビ放送信号１００Ａの受送信システムの構成例を示すブロック図である。この受送信システムは、例えば、有線（ケーブルＴＶなど）や無線（地上デジタル波、衛星波など）を介してテレビ放送信号を送信する送信側装置１００と、上記の有線や無線を介して送信側装置１００からのテレビ放送信号１００Ａを受信する受信側装置２００とを備えている。なお、受信側装置２００が本技術の「表示装置」の一具体例に相当する。
【手続補正３】
【補正対象書類名】明細書
【補正対象項目名】００１６
【補正方法】変更
【補正の内容】
【００１６】
アンテナ端子２０１は、受信アンテナ（図示せず）で受信されたテレビ放送信号１００Ａを入力する端子である。デジタルチューナ２０２は、例えば、アンテナ端子２０１に入力されたテレビ放送信号１００Ａを処理して、ユーザの選択チャネルに対応した所定のトランスポートストリームを出力するようになっている。デマルチプレクサ２０３は、例えば、デジタルチューナ２０２で得られたトランスポートストリームから、ユーザの選択チャネルに対応したパーシャルＴＳ（Transport Stream）を抽出するようになっている。
【手続補正４】
【補正対象書類名】明細書
【補正対象項目名】００３９
【補正方法】変更
【補正の内容】
【００３９】
下側電極３２は、例えば、図６に示したように、複数の部分電極３２Ａによって構成されている。複数の部分電極３２Ａは、面内の一の方向（光入射面１０Ａに平行な方向）に延在する帯状の形状となっている。複数の部分電極３２Ａのうち特定の複数の部分電極３２Ａ（以下、「部分電極３２Ｂ」と称する。）は、受信側装置２００において三次元表示を行うときに、線状照明光の生成に用いられるものである。なお、部分電極３２Ｂが「第２帯状電極」の一具体例に相当する。複数の部分電極３２Ａのうち部分電極３２Ｂを除く複数の部分電極３２Ａ（以下、「部分電極３２Ｃ」と称する。）は、受信側装置２００において二次元表示を行うときに、部分電極３２Ｂと共に、面状照明光の生成に用いられるものである。つまり、受信側装置２００において二次元表示を行うときには、面状照明光を生成するために、全ての部分電極３２Ａが用いられる。なお、部分電極３２Ｃが「第１帯状電極」の一具体例に相当する。
【手続補正５】
【補正対象書類名】明細書
【補正対象項目名】００５８
【補正方法】変更
【補正の内容】
【００５８】
ここで、バルク３４Ａおよび微粒子３４Ｂの常光屈折率が互いに等しく、かつバルク３４Ａおよび微粒子３４Ｂの異常光屈折率が互いに等しいことが好ましい。この場合に、例えば、電位差無印加時には、図１０（Ａ）に示したように、正面方向および斜め方向を含むあらゆる方向において屈折率差がほとんどなく、高い透明性（光透過性）が得られる。これにより、例えば、図１０（Ｃ）に示したように、正面方向に向かう光Ｌ１および斜め方向に向かう光Ｌ２は、光変調層３４内で散乱されることなく、光変調層３４を透過する。その結果、例えば、図１２（Ａ），（Ｂ）に示したように、光源２０からの光Ｌ（斜め方向からの光）は、例えば、導光板１０のうち、光変調層３４において透明な領域（透明領域３０Ａ）の上側および下側の界面において全反射され、透明領域３０Ａの輝度（黒表示の輝度）が、全面を均一に発光させている場合（図１２（Ｂ）中の一点鎖線）と比べて下がる。なお、図１２（Ｂ）の正面輝度のプロファイルは、導光板１０上に拡散シート６０を設置し、その拡散シート６０を介して測定することにより得られたものである。
【手続補正６】
【補正対象書類名】明細書
【補正対象項目名】００５９
【補正方法】変更
【補正の内容】
【００５９】
なお、透明領域３０Ａの界面の１つである導光板１０の上面は、表示パネル２１０と導光板１０との間に存在する間隙と接しているが、その間隙は、導光板１０の上面の屈折率よりも低い屈折率の材料で満たされていることが好ましい。そのような低屈折率材料からなる層は、典型的には空気であるが、低屈折率材料からなる粘着剤もしくは接着剤であってもよい。
【手続補正７】
【補正対象書類名】明細書
【補正対象項目名】００６１
【補正方法】変更
【補正の内容】
【００６１】
したがって、電位差印加時には、光変調層３４において、正面方向および斜め方向を含むあらゆる方向において屈折率差が大きくなり、高い散乱性が得られる。これにより、例えば、図１１（Ｃ）に示したように、正面方向に向かう光Ｌ１および斜め方向に向かう光Ｌ２は、光変調層３４内で散乱される。その結果、例えば、図１２（Ａ）に示したように、光源２０からの光Ｌ（斜め方向からの光）は、導光板１０のうち、光変調層３４において散乱性を示す領域（散乱領域３０Ｂ）の上側および下側の界面を透過すると共に、反射板４０側に透過した光は反射板４０で反射され、光変調素子３０を透過する。従って、散乱領域３０Ｂの輝度は、全面を均一に発光させている場合（図１２（Ｂ）中の一点鎖線）と比べて極めて高くなり、しかも、透明領域３０Ａの輝度が低下した分だけ、部分的な白表示の輝度（輝度突き上げ）が大きくなる。
【手続補正８】
【補正対象書類名】明細書
【補正対象項目名】００８２
【補正方法】変更
【補正の内容】
【００８２】
駆動回路５０は、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で一定となるように、各部分電極３２Ｂ，３２Ｃ，３６Ａを駆動するようになっている。具体的には、駆動回路５０は、図１７（Ａ），（Ｃ）に示したように、ｒｏｗ選択域の部分電極３６Ａおよびｃｏｌｕｍｎ選択域の部分電極３２Ｂに対して、固定電位（例えばグラウンド電位）を印加するようになっている。さらに、駆動回路５０は、図１７（Ｂ），（Ｄ）に示したように、ｒｏｗ非選択域の部分電極３６Ａ、ｃｏｌｕｍｎ選択域の部分電極３２Ｂおよびｃｏｌｕｍｎ非選択域の部分電極３２Ｂ，３２Ｃに対して、位相が互いに同期した交流電位を印加するようになっている。駆動回路５０は、ｒｏｗ非選択域の部分電極３６Ａに対しては、振幅Ｖｒ（ＲＭＳ）の交流電位を印加し、ｃｏｌｕｍｎ選択域の部分電極３２Ｂおよびｃｏｌｕｍｎ非選択域の部分電極３２Ｂ，３２Ｃに対しては、振幅Ｖｃ（ＲＭＳ）の交流電位を印加するようになっている。振幅Ｖｒおよび振幅Ｖｃは、互いに等しくなっていることが好ましいが、互いに異なっていてもよい。
【手続補正９】
【補正対象書類名】明細書
【補正対象項目名】００８６
【補正方法】変更
【補正の内容】
【００８６】
エリアＣでは、例えば、パネル駆動回路２０９は表示パネル２１０の個々の画素２１０Ｅ（上記の画素２１０−１，２１０−２，２１０−３または２１０−４に相当する画素）を二次元用画素として駆動するようになっている。このとき、駆動回路５０は、例えば、エリアＣ全体に散乱領域３０Ｂを形成させ、各画素２１０Ｅに面状照明光Ｌ２を入射させるようになっている。これにより、観察者は、表示パネル２１０のエリアＣに二次元映像（平面映像）が表示されていると認識する。
【手続補正１０】
【補正対象書類名】明細書
【補正対象項目名】００８８
【補正方法】変更
【補正の内容】
【００８８】
本実施の形態のバックライト２１１では、部分電極３２Ｂ，３２Ｃ，３６Ａによって生成される電位差に応じて、光源２０からの光に対して散乱性もしくは透明性を示す光変調層３４がバックライト２１１内に設けられている。これにより、光源２０から発せられ、透明基板３１等を伝播する光は、光変調層３４のうち、電位差制御によって透明性を示す領域（透明領域３０Ａ）を透過し、導光板１０上面において全反射されるか、または高反射率で反射される。一方、透明基板３１等を伝播する光は、光変調層３４のうち、電位差制御によって散乱性を示す領域（散乱領域３０Ｂ）で散乱され、導光板１０の上面を透過する。そのため、バックライト２１１の光射出領域２１１Ａのうち透明領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層３４の一部から照明光を出射させたり、光変調層３４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で一定となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【手続補正１１】
【補正対象書類名】明細書
【補正対象項目名】０１０９
【補正方法】変更
【補正の内容】
【０１０９】
本実施の形態のバックライト２１１では、上記実施の形態と同様、部分電極３２Ｂ，３２Ｃ，３６Ａによって生成される電位差に応じて、光源２０からの光に対して散乱性もしくは透明性を示す光変調層６４がバックライト２１１内に設けられている。これにより、光源２０から発せられ、透明基板３１等を伝播する光は、光変調層６４のうち、電位差制御によって透明性を示す領域（透明領域３０Ａ）を透過し、導光板１０上面において全反射されるか、または高反射率で反射される。一方、透明基板３１等を伝播する光は、光変調層６４のうち、電位差制御によって散乱性を示す領域（散乱領域３０Ｂ）で散乱され、導光板１０の上面を透過する。そのため、バックライト２１１の光射出領域２１１Ａのうち透明領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層６４の一部から照明光を出射させたり、光変調層６４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で一定となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【手続補正１２】
【補正対象書類名】明細書
【補正対象項目名】０１２１
【補正方法】変更
【補正の内容】
【０１２１】
図３２は、駆動回路５０が、図３１に示した電圧を部分電極３２Ｂ，３２Ｃ，３６Ａに印加したときの、光変調セル３０ａ，３０ｂの電位の経時変化の一例を表したものである。図３２（Ａ）〜（Ｄ）に示したように、エリアＡの光変調セル３０ｂに、振幅（Ｖｒ＋Ｖｃ）の交流電位が印加され、エリアＡの光変調セル３０ａおよびエリアＢ〜Ｄの光変調セル３０ａ，３０ｂには、振幅Ｖｒもしくは振幅Ｖｃの交流電位、または固定電位（例えばグラウンド電位）が印加される。ここで、図３３に示したように、光変調セル３０ａ，３０ｂに印加される電圧（印加電圧）と、光変調セル３０ａ，３０ｂから出射される照明光の白色度との関係が、図３３の条件１のようになっている場合、エリアＡの光変調セル３０ａおよびエリアＢ〜Ｄの光変調セル３０ａ，３０ｂ内の光変調層７４は、透明領域３０Ａとなっており、これらのセルは、消光状態となっている。このとき、エリアＡの光変調セル３０ｂ内の光変調層７４は、散乱領域３０Ｂとなっており、エリアＡの光変調セル３０ｂは、発光状態となっている。
【手続補正１３】
【補正対象書類名】明細書
【補正対象項目名】０１２２
【補正方法】変更
【補正の内容】
【０１２２】
なお、印加電圧と白色度との関係が、図３３の条件２となっている場合には、光変調セル３０ａ，３０ｂに対して、振幅Ｖｒまたは振幅Ｖｃの交流電位が印加されると、白色度が１とはならず、半分程度にまで小さくなってしまう。従って、光変調セル３０ａ，３０ｂに対して、振幅Ｖｒまたは振幅Ｖｃの交流電位が印加されたときに、白色度が振幅（Ｖｒ＋Ｖｃ）の交流電位が印加されたときと同等の輝度となるような条件となっていることが好ましい。具体的には、振幅Ｖｒおよび振幅Ｖｃは、振幅Ｖｒまたは振幅Ｖｃの交流電位だけが光変調層３４に印加されたときに、光変調層７４が散乱性から透明性に移行する閾値電位と同じか、それよりも小さな値となっていることが好ましい。
【手続補正１４】
【補正対象書類名】明細書
【補正対象項目名】０１２４
【補正方法】変更
【補正の内容】
【０１２４】
本実施の形態のバックライト２１１では、部分電極３２Ｂ，３２Ｃ，３６Ａによって生成される電位差に応じて、光源２０からの光に対して散乱性もしくは透明性を示す光変調層７４がバックライト２１１内に設けられている。これにより、光源２０から発せられ、透明基板３１等を伝播する光は、光変調層７４のうち、電位差制御によって透明性を示す領域（透明領域３０Ａ）を透過し、導光板１０上面において全反射されるか、または高反射率で反射される。一方、透明基板３１等を伝播する光は、光変調層７４のうち、電位差制御によって散乱性を示す領域（散乱領域３０Ｂ）で散乱され、導光板１０の上面を透過する。そのため、バックライト２１１の光射出領域２１１Ａのうち透明領域３０Ａと対応する領域からは、照明光がほとんど出射されない。また、バックライト２１１の光射出領域のうち散乱領域３０Ｂと対応する領域から、照明光が出射される。このように、本実施の形態では、部分電極３２Ｂ，３２Ｃ，３６Ａのレイアウトおよび印加電圧に応じて、光変調層７４の一部から照明光を出射させたり、光変調層７４全体から照明光を出射させたりすることができるので、三次元表示と二次元表示を切り替えることができる。さらに、本実施の形態では、二次元映像、三次元映像、または二次元映像と三次元映像とを混在させた映像を表示パネル２１０に表示させる際に、部分電極３２Ｂまたは部分電極３２Ｃと、部分電極３６Ａとの電位差の面内分布が１フレーム期間内で一定となるように、各部分電極３２Ｂ，３２Ｃ，３６Ａが駆動される。そのため、駆動方法に依って部分電極３２Ｂ，３２Ｃ，３６Ａの数が制限されない。そのため、必要に応じて、部分電極３２Ｂ，３２Ｃ，３６Ａの数を増やし、照明光の面内における部分的な出射をより細かくすることができる。従って、低コストで照明光の面内における部分的な出射をより細かくすることができる。
【手続補正１５】
【補正対象書類名】明細書
【補正対象項目名】０１３２
【補正方法】変更
【補正の内容】
【０１３２】
１０…導光板、１０Ａ…光入射面、２０…光源、３０，６０，７０…光変調素子、３０−１，３０ａ，３０ｂ…光変調セル、３０Ａ…透明領域、３０Ｂ…散乱領域、３１，３７…透明基板、３２…下側電極、３２Ａ，３２Ｂ，３２Ｃ，３６Ａ…部分電極、３３，３５…配向膜、３４，６４，７４…光変調層、３４Ａ，６４Ａ，７４Ａ…バルク、３４Ｂ，６４Ｂ…微粒子、３６…上側電極、４０…反射板、５０…駆動回路、６０…拡散シート、１００…送信側装置、１００Ａ…テレビ放送信号、２００…受信側装置、２０１…アンテナ端子、２０２…デジタルチューナ、２０３…デマルチプレクサ、２０４…演算回路、２０４Ａ…制御信号、２０５…メモリ、２０６…デコーダ、２０７…映像信号処理回路、２０８…グラフィック生成回路、２０９…パネル駆動回路、２１０…表示パネル、２１０Ａ…液晶パネル、２１０Ｂ，２１０Ｃ…偏光板、２１０Ｄ…三次元用画素、２１０Ｅ，２１０−１〜２１０−４…画素、２１１…バックライト、２１１−１…２Ｄ表示領域、２１１−２…３Ｄ表示領域、２１２…音声信号処理回路、２１３…音声増幅回路、２１４…スピーカ、２１５…リモコン受信回路、２１６…リモコン送信機、２２０…低屈折率材料層、ＡＸ１〜ＡＸ４…光軸、ＡＸ１０，ＡＸ１１…透過軸、Ｌ１…線状照明光、Ｌ２…面状照明光、θ１〜θ４…角度。
【手続補正１６】
【補正対象書類名】図面
【補正対象項目名】図５
【補正方法】変更
【補正の内容】
【図５】
2013083674.tif 000001
【手続補正１７】
【補正対象書類名】図面
【補正対象項目名】図７
【補正方法】変更
【補正の内容】
【図７】
2013083674.tif 000002